(57)【特許請求の範囲】
【請求項１】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をし、一方の基板と他方の基板との間に、複数の表示用領域を覆う共通電極と、前記表示媒体が配置された表示媒体層と、前記複数の表示用領域の各々に対応する複数の表示用電極とが、前記一方の基板側から前記他方の基板側に向かって当該順序で設けられ、温度検出部を備える反射型表示装置の駆動方法であって、
前記共通電極と前記複数の表示用電極との間に、前記温度検出部が検出した温度に応じて、及び、所望の表示の内容に応じて、電圧を印加して表示を書き換える表示書き換え工程を備え、
前記表示書き換え工程は、
前記温度検出部が検出した温度が第１の温度領域である場合には、前記共通電極に一定の基準電圧値を維持する基準電位信号を印加するとともに、書き換えが必要な表示用領域に対応する表示用電極に、前記基準電圧値よりも高い電圧値を印加するための正側第１電位信号を印加するか、または、前記基準電圧値よりも低い電圧値を印加するための負側第１電位信号を印加し、
前記温度検出部が検出した温度が前記第１の温度領域より低い第２の温度領域である場合には、書き換えが必要な表示用領域に対応する表示用電極に前記基準電圧値よりも高い電圧値を印加するための正側第２電位信号を印加するとともに前記共通電極に前記基準電圧値よりも低い電圧値を印加するための負側第３電位信号を印加するか、または、書き換えが必要な表示用領域に対応する表示用電極に前記基準電圧値よりも低い電圧値を印加するための負側第２電位信号を印加するとともに前記共通電極に前記基準電圧値よりも高い電圧値を印加するための正側第３電位信号を印加し、
前記表示書き換え工程では、前記表示用領域において２階調の表示書き換えを実行することが可能であり、
前記表示書き換え工程における、２階調のうちの一方の階調への１回の書き換え及び他方の階調への１回の書き換えを行う１回の表示書き換え動作において、
前記温度検出部が検出した温度が第２の温度領域である場合には、
２階調のうちの一方の階調に書き換えが必要な表示用領域に対応する表示用電極に前記正側第２電位信号を印加するとともに前記共通電極に前記負側第３電位信号を印加することで一方の階調への書き換えを行うのと同時に、一方の階調に書き換えが不要な表示用領域であって、他方の階調に書き換えが必要な表示用領域に対応する表示用電極に前記負側第３電位信号を印加した後、この他方の階調に書き換えが必要な表示用領域に対応する表示用電極に前記負側第２電位信号を印加するとともに前記共通電極に前記正側第３電位信号を印加することで他方の階調への書き換えを行うのと同時に、対応する表示用電極への前記正側第２電位信号の印加及び前記共通電極への前記負側第３電位信号の印加により既に一方の階調に書き換えられている表示用領域であって、他方の階調に書き換えが不要な表示用領域に対応する表示用電極に前記正側第３電位信号を印加するか、
または、
２階調のうちの一方の階調に書き換えが必要な表示用領域に対応する表示用電極に前記負側第２電位信号を印加するとともに前記共通電極に前記正側第３電位信号を印加することで一方の階調への書き換えを行うのと同時に、一方の階調に書き換えが不要な表示用領域であって、他方の階調に書き換えが必要な表示用領域に対応する表示用電極に前記正側第３電位信号を印加した後、この他方の階調に書き換えが必要な表示用領域に対応する表示用電極に前記正側第２電位信号を印加するとともに前記共通電極に前記負側第３電位信号を印加することで他方の階調への書き換えを行うのと同時に、対応する表示用電極への前記負側第２電位信号の印加及び前記共通電極への前記正側第３電位信号の印加により既に一方の階調に書き換えられている表示用領域であって、他方の階調に書き換えが不要な表示用領域に対応する表示用電極に前記負側第３電位信号を印加する
ことを特徴とする反射型表示装置の駆動方法。
【請求項２】
前記表示書き換え工程においては、
前記正側第１電位信号に基づく電圧値と前記基準電圧値との差の絶対値、前記負側第１電位信号に基づく電圧値と前記基準電圧値との差の絶対値、前記正側第２電位信号に基づく電圧値と前記基準電圧値との差の絶対値、前記負側第２電位信号に基づく電圧値と前記基準電圧値との差の絶対値、前記正側第３電位信号に基づく電圧値と前記基準電圧値との差の絶対値、及び、前記負側第３電位信号に基づく電圧値と前記基準電圧値との差の絶対値は、それぞれ、同一であり、
前記表示書き換え工程においては、
前記温度検出部が検出した温度が前記第１の温度領域である場合には、書き換えが必要な表示用領域に対応する表示用電極に前記正側第１電位信号に基づく電圧値の電圧を第１時間長だけ印加するか、または、前記負側第１電位信号に基づく電圧値の電圧を第１時間長だけ印加し、
前記温度検出部が検出した温度が前記第２の温度領域である場合には、書き換えが必要な表示用領域に対応する表示用電極に前記正側第２電位信号に基づく電圧値の電圧を第２時間長だけ印加するとともに前記共通電極にも前記負側第３電位信号に基づく電圧値の電圧を第２時間長だけ印加するか、または、書き換えが必要な表示用領域に対応する表示用電極に前記負側第２電位信号を第２時間長だけ印加するとともに前記共通電極にも前記正側第３電位信号に基づく電圧値の電圧を第２時間長だけ印加する
ことを特徴とする請求項１に記載の反射型表示装置の駆動方法。
【請求項３】
前記第２の温度領域に第１閾温度が設定されており、
前記表示書き換え工程においては、
前記温度検出部が検出した温度が前記第２の温度領域であって前記第１閾温度よりも高い場合に、前記第２時間長よりも短い第３時間長だけ、書き換えが必要な表示用領域に対応する表示用電極に前記正側第２電位信号に基づく電圧値の電圧を印加するとともに前記共通電極に前記負側第３電位信号に基づく電圧値の電圧を印加するか、または、前記第２時間長よりも短い第３時間長だけ、書き換えが必要な表示用領域に対応する表示用電極に前記負側第２電位信号を印加するとともに前記共通電極に前記正側第３電位信号に基づく電圧値の電圧を印加する
ことを特徴とする請求項２に記載の反射型表示装置の駆動方法。
【請求項４】
前記表示書き換え工程においては、前記温度検出部が検出した温度が前記第２の温度領域であって前記第１閾温度よりも高いほど、前記第３時間長を短くする
ことを特徴とする請求項３に記載の反射型表示装置の駆動方法。
【請求項５】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をし、一方の基板と他方の基板との間に、複数の表示用領域を覆う共通電極と、前記表示媒体が配置された表示媒体層と、前記複数の表示用領域の各々に対応する複数の表示用電極とが、前記一方の基板側から前記他方の基板側に向かって当該順序で設けられた、反射型表示装置であって、
温度検出部と、
前記共通電極と前記複数の表示用電極との間に、前記温度検出部が検出した温度に応じて、及び、所望の表示の内容に応じて、電圧を印加して表示を書き換える電圧印加制御部と、を備え、
前記電圧印加制御部は、
前記温度検出部が検出した温度が第１の温度領域である場合には、前記共通電極に一定の基準電圧値を維持する基準電位信号を印加するとともに、書き換えが必要な表示用領域に対応する表示用電極に、前記基準電圧値よりも高い電圧値を印加するための正側第１電位信号を印加するか、または、前記基準電圧値よりも低い電圧値を印加するための負側第１電位信号を印加し、
前記温度検出部が検出した温度が前記第１の温度領域より低い第２の温度領域である場合には、書き換えが必要な表示用領域に対応する表示用電極に前記基準電圧値よりも高い電圧値を印加するための正側第２電位信号を印加するとともに前記共通電極に前記基準電圧値よりも低い電圧値を印加するための負側第３電位信号を印加するか、または、書き換えが必要な表示用領域に対応する表示用電極に前記基準電圧値よりも低い電圧値を印加するための負側第２電位信号を印加するとともに前記共通電極に前記基準電圧値よりも高い電圧値を印加するための正側第３電位信号を印加し、
前記電圧印加制御部は、前記表示用領域において２階調の表示書き換えを実行することが可能であり、
前記電圧印加制御部は、２階調のうちの一方の階調への１回の書き換え及び他方の階調への１回の書き換えを行う１回の表示書き換え動作において、
前記温度検出部が検出した温度が第２の温度領域である場合には、
２階調のうちの一方の階調に書き換えが必要な表示用領域に対応する表示用電極に前記正側第２電位信号を印加するとともに前記共通電極に前記負側第３電位信号を印加することで一方の階調への書き換えを行うのと同時に、一方の階調に書き換えが不要な表示用領域であって、他方の階調に書き換えが必要な表示用領域に対応する表示用電極に前記負側第３電位信号を印加した後、この他方の階調に書き換えが必要な表示用領域に対応する表示用電極に前記負側第２電位信号を印加するとともに前記共通電極に前記正側第３電位信号を印加することで他方の階調への書き換えを行うのと同時に、対応する表示用電極への前記正側第２電位信号の印加及び前記共通電極への前記負側第３電位信号の印加により既に一方の階調に書き換えられている表示用領域であって、他方の階調に書き換えが不要な表示用領域に対応する表示用電極に前記正側第３電位信号を印加するか、
または、
２階調のうちの一方の階調に書き換えが必要な表示用領域に対応する表示用電極に前記負側第２電位信号を印加するとともに前記共通電極に前記正側第３電位信号を印加することで一方の階調への書き換えを行うのと同時に、一方の階調に書き換えが不要な表示用領域であって、他方の階調に書き換えが必要な表示用領域に対応する表示用電極に前記正側第３電位信号を印加した後、この他方の階調に書き換えが必要な表示用領域に対応する表示用電極に前記正側第２電位信号を印加するとともに前記共通電極に前記負側第３電位信号を印加することで他方の階調への書き換えを行うのと同時に、対応する表示用電極への前記負側第２電位信号の印加及び前記共通電極への前記正側第３電位信号の印加により既に一方の階調に書き換えられている表示用領域であって、他方の階調に書き換えが不要な表示用領域に対応する表示用電極に前記負側第３電位信号を印加する
ことを特徴とする反射型表示装置。
【請求項６】
前記正側第１電位信号に基づく電圧値と前記基準電圧値との差の絶対値、前記負側第１電位信号に基づく電圧値と前記基準電圧値との差の絶対値、前記正側第２電位信号に基づく電圧値と前記基準電圧値との差の絶対値、前記負側第２電位信号に基づく電圧値と前記基準電圧値との差の絶対値、前記正側第３電位信号に基づく電圧値と前記基準電圧値との差の絶対値、及び、前記負側第３電位信号に基づく電圧値と前記基準電圧値との差の絶対値は、それぞれ、同一であり、
前記電圧印加制御部は、
前記温度検出部が検出した温度が前記第１の温度領域である場合には、書き換えが必要な表示用領域に対応する表示用電極に前記正側第１電位信号に基づく電圧値の電圧を第１時間長だけ印加するか、または、前記負側第１電位信号に基づく電圧値の電圧を第１時間長だけ印加し、
前記温度検出部が検出した温度が前記第２の温度領域である場合には、書き換えが必要な表示用領域に対応する表示用電極に前記正側第２電位信号に基づく電圧値の電圧を第２時間長だけ印加するとともに前記共通電極にも前記負側第３電位信号に基づく電圧値の電圧を第２時間長だけ印加するか、または、書き換えが必要な表示用領域に対応する表示用電極に前記負側第２電位信号を第２時間長だけ印加するとともに前記共通電極にも前記正側第３電位信号に基づく電圧値の電圧を第２時間長だけ印加する
ことを特徴とする請求項５に記載の反射型表示装置。
【請求項７】
前記第２の温度領域に第１閾温度が設定されており、
前記電圧印加制御部は、
前記温度検出部が検出した温度が前記第２の温度領域であって前記第１閾温度よりも高い場合に、前記第２時間長よりも短い第３時間長だけ、書き換えが必要な表示用領域に対応する表示用電極に前記正側第２電位信号に基づく電圧値の電圧を印加するとともに前記共通電極に前記負側第３電位信号に基づく電圧値の電圧を印加するか、または、前記第２時間長よりも短い第３時間長だけ、書き換えが必要な表示用領域に対応する表示用電極に前記負側第２電位信号を印加するとともに前記共通電極に前記正側第３電位信号に基づく電圧値の電圧を印加する
ことを特徴とする請求項６に記載の反射型表示装置。
【請求項８】
前記電圧印加制御部は、前記温度検出部が検出した温度が前記第２の温度領域であって前記第１閾温度よりも高いほど、前記第３時間長を短くする
ことを特徴とする請求項７に記載の反射型表示装置。
【発明の詳細な説明】
【技術分野】
【０００１】
本発明は、電子ペーパー等に応用されている反射型表示装置の駆動方法及び反射型表示装置に関する。
【背景技術】
【０００２】
反射型表示装置として、最近、表示媒体に含まれる電気応答性材料として電気泳動体を用いた電気泳動表示装置が広く用いられている。電気泳動表示装置とは、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。電気泳動体としては、荷電粒子の他、荷電粉体をも利用され得る。その場合、当該荷電粉体は気体中を電気的に泳動する。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
より詳細に説明すれば、電子ペーパーの表示素子として、電位状態についてメモリー性を有する表示素子を利用できるため、電圧などのエネルギーを供給し続けなくても、画像データに応じた表示状態を維持できる。一般的には、電子ペーパーの表示素子として、気中移動型、電気泳動粒子型、２色回転粒子型が知られている。これらは、電圧を付与することでセル内の電荷粒子の状態を変化させ、そのことによって表示状態を可変とすることができる。一方、電圧の付与を止めても、その表示状態を長時間に亘って維持できる。
【０００５】
これらの方式では、電圧を印加して電荷粒子を電気的に動かすことで、電荷粒子の位置や向きを変えている。従って、原理的に電場に対する応答性が極めて高く、すなわち、外部環境に非常に敏感である。このため、これらの方式を採用した表示装置は、当該装置周辺の温度ないし湿度の影響を受けやすい。
【０００６】
従来は、駆動シーケンス（駆動信号）の信号パターンが固定されていたため、外部環境の変化等によって電場応答性が変わってしまった場合には、最適な表示状態を得ることができず、すなわち、コントラストが低かったり、所望の反射率を実現できなかったり、といった光学的不具合が発生していた。
【０００７】
そこで、センサを表示装置に搭載して外部環境の情報を取得し、それに応じて駆動シーケンスを直接的に補正する（変更する）ことが提案されている（特許文献１、特許文献２）。
【先行技術文献】
【特許文献】
【０００８】
【特許文献１】特許第４１９６６１５号
【特許文献２】特開２０１１−１９７５１３号公報
【発明の概要】
【発明が解決しようとする課題】
【０００９】
ところで、従来のような、環境の温度に応じて駆動シーケンスを変更する方式としては、例えば、表示書き換え時に印加する電位（電圧値）を一定とするとともに、印加時間を環境の温度に応じて増減させる方式が知られている。この方式では、印加時間は環境の温度が低い程、長く設定される。しかしながら、当該方式は、環境の温度に応じて書き換え時間が変動し、特に、低温時において表示媒体に対する所望の駆動エネルギーを得る場合に、書き換え時間が長くなってしまうという課題があった。
【００１０】
本発明は、このような事情に基づいて行われたものであり、その目的は、表示媒体に対する所望の駆動エネルギーを効率的に得て、効果的な表示書き換えを実行することができる反射型表示装置の駆動方法及び反射型表示装置を提供することである。
【課題を解決するための手段】
【００１１】
本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をし、一方の基板と他方の基板との間に、複数の表示用領域を覆う共通電極と、前記表示媒体が配置された表示媒体層と、前記複数の表示用領域の各々に対応する複数の表示用電極とが、前記一方の基板側から前記他方の基板側に向かって当該順序で設けられ、温度検出部を備える反射型表示装置の駆動方法であって、前記共通電極と前記複数の表示用電極との間に、前記温度検出部が検出した温度に応じて、及び、所望の表示の内容に応じて、電圧を印加して表示を書き換える表示書き換え工程を備え、前記表示書き換え工程は、前記温度検出部が検出した温度が第１の温度領域である場合には、前記共通電極に一定の基準電圧値を維持する基準電位信号を印加するとともに、書き換えが必要な表示用領域に対応する表示用電極に、前記基準電圧値よりも高い電圧値を印加するための正側第１電位信号を印加するか、または、前記基準電圧値よりも低い電圧値を印加するための負側第１電位信号を印加し、前記温度検出部が検出した温度が前記第１の温度領域より低い第２の温度領域である場合には、書き換えが必要な表示用領域に対応する表示用電極に前記基準電圧値よりも高い電圧値を印加するための正側第２電位信号を印加するとともに前記共通電極に前記基準電圧値よりも低い電圧値を印加するための負側第３電位信号を印加するか、または、書き換えが必要な表示用領域に対応する表示用電極に前記基準電圧値よりも低い電圧値を印加するための負側第２電位信号を印加するとともに前記共通電極に前記基準電圧値よりも高い電圧値を印加するための正側第３電位信号を印加することを特徴とする反射型表示装置の駆動方法、である。
【００１２】
前記表示書き換え工程では、前記表示用領域において２階調の表示書き換えを実行することが可能であり、前記表示書き換え工程において、前記温度検出部が検出した温度が第２の温度領域である場合には、２階調のうちの一方の階調に書き換えが必要な表示用領域に対応する表示用電極に前記正側第２電位信号を印加し、前記共通電極に前記負側第３電位信号を印加し、かつ書き換えが不要な表示用領域に対応する表示用電極に前記負側第３電位信号を印加した後、他方の階調に書き換えが必要な表示用領域に対応する表示用電極に前記負側第２電位信号を印加し、前記共通電極に前記正側第３電位信号を印加し、かつ書き換えが不要な表示用領域に対応する表示用電極に前記正側第３電位信号を印加するか、または、２階調のうちの一方の階調に書き換えが必要な表示用領域に対応する表示用電極に前記負側第２電位信号を印加し、前記共通電極に前記正側第３電位信号を印加し、かつ書き換えが不要な表示用領域に対応する表示用電極に前記正側第３電位信号を印加した後、他方の階調に書き換えが必要な表示用領域に対応する表示用電極に前記正側第２電位信号を印加し、前記共通電極に前記負側第３電位信号を印加し、かつ書き換えが不要な表示用領域に対応する表示用電極に前記負側第３電位信号を印加するようにしてもよい。
【００１３】
前記表示書き換え工程においては、前記正側第１電位信号に基づく電圧値と前記基準電圧値との差の絶対値、前記負側第１電位信号に基づく電圧値と前記基準電圧値との差の絶対値、前記正側第２電位信号に基づく電圧値と前記基準電圧値との差の絶対値、前記負側第２電位信号に基づく電圧値と前記基準電圧値との差の絶対値、前記正側第３電位信号に基づく電圧値と前記基準電圧値との差の絶対値、及び、前記負側第３電位信号に基づく電圧値と前記基準電圧値との差の絶対値は、それぞれ、同一であり、前記表示書き換え工程においては、前記温度検出部が検出した温度が前記第１の温度領域である場合には、書き換えが必要な表示用領域に対応する表示用電極に前記正側第１電位信号に基づく電圧値の電圧を第１時間長だけ印加するか、または、前記負側第１電位信号に基づく電圧値の電圧を第１時間長だけ印加し、前記温度検出部が検出した温度が前記第２の温度領域である場合には、書き換えが必要な表示用領域に対応する表示用電極に前記正側第２電位信号に基づく電圧値の電圧を第２時間長だけ印加するとともに前記共通電極にも前記負側第３電位信号に基づく電圧値の電圧を第２時間長だけ印加するか、または、書き換えが必要な表示用領域に対応する表示用電極に前記負側第２電位信号を第２時間長だけ印加するとともに前記共通電極にも前記正側第３電位信号に基づく電圧値の電圧を第２時間長だけ印加するようにしてもよい。
【００１４】
前記第２の温度領域に第１閾温度が設定されており、前記表示書き換え工程においては、前記温度検出部が検出した温度が前記第２の温度領域であって前記第１閾温度よりも高い場合に、前記２時間長よりも短い第３時間長だけ、書き換えが必要な表示用領域に対応する表示用電極に前記正側第２電位信号に基づく電圧値の電圧を印加するとともに前記共通電極に前記負側第３電位信号に基づく電圧値の電圧を印加するか、または、前記２時間長よりも短い第３時間長だけ、書き換えが必要な表示用領域に対応する表示用電極に前記負側第２電位信号を印加するとともに前記共通電極に前記正側第３電位信号に基づく電圧値の電圧を印加してもよい。
【００１５】
前記表示書き換え工程においては、前記温度検出部が検出した温度が前記第２の温度領域であって前記第１閾温度よりも高いほど、前記第３時間長を短くしてもよい。
【００１６】
また、本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をし、一方の基板と他方の基板との間に、複数の表示用領域を覆う共通電極と、前記表示媒体が配置された表示媒体層と、前記複数の表示用領域の各々に対応する複数の表示用電極とが、前記一方の基板側から前記他方の基板側に向かって当該順序で設けられた、反射型表示装置であって、温度検出部と、前記共通電極と前記複数の表示用電極との間に、前記温度検出部が検出した温度に応じて、及び、所望の表示の内容に応じて、電圧を印加して表示を書き換える電圧印加制御部と、を備え、前記電圧印加制御部は、前記温度検出部が検出した温度が第１の温度領域である場合には、前記共通電極に一定の基準電圧値を維持する基準電位信号を印加するとともに、書き換えが必要な表示用領域に対応する表示用電極に、前記基準電圧値よりも高い電圧値を印加するための正側第１電位信号を印加するか、または、前記基準電圧値よりも低い電圧値を印加するための負側第１電位信号を印加し、前記温度検出部が検出した温度が前記第１の温度領域より低い第２の温度領域である場合には、書き換えが必要な表示用領域に対応する表示用電極に前記基準電圧値よりも高い電圧値を印加するための正側第２電位信号を印加するとともに前記共通電極に前記基準電圧値よりも低い電圧値を印加するための負側第３電位信号を印加するか、または、書き換えが必要な表示用領域に対応する表示用電極に前記基準電圧値よりも低い電圧値を印加するための負側第２電位信号を印加するとともに前記共通電極に前記基準電圧値よりも高い電圧値を印加するための正側第３電位信号を印加することを特徴とする反射型表示装置、である。
【００１７】
前記電圧印加制御部は、前記表示用領域において２階調の表示書き換えを実行することが可能であり、前記電圧印加制御部は、前記温度検出部が検出した温度が第２の温度領域である場合には、２階調のうちの一方の階調に書き換えが必要な表示用領域に対応する表示用電極に前記正側第２電位信号を印加し、前記共通電極に前記負側第３電位信号を印加し、かつ書き換えが不要な表示用領域に対応する表示用電極に前記負側第３電位信号を印加した後、他方の階調に書き換えが必要な表示用領域に対応する表示用電極に前記負側第２電位信号を印加し、前記共通電極に前記正側第３電位信号を印加し、かつ書き換えが不要な表示用領域に対応する表示用電極に前記正側第３電位信号を印加するか、または、２階調のうちの一方の階調に書き換えが必要な表示用領域に対応する表示用電極に前記負側第２電位信号を印加し、前記共通電極に前記正側第３電位信号を印加し、かつ書き換えが不要な表示用領域に対応する表示用電極に前記正側第３電位信号を印加した後、他方の階調に書き換えが必要な表示用領域に対応する表示用電極に前記正側第２電位信号を印加し、前記共通電極に前記負側第３電位信号を印加し、かつ書き換えが不要な表示用領域に対応する表示用電極に前記負側第３電位信号を印加するようにしてもよい。
【００１８】
前記正側第１電位信号に基づく電圧値と前記基準電圧値との差の絶対値、前記負側第１電位信号に基づく電圧値と前記基準電圧値との差の絶対値、前記正側第２電位信号に基づく電圧値と前記基準電圧値との差の絶対値、前記負側第２電位信号に基づく電圧値と前記基準電圧値との差の絶対値、前記正側第３電位信号に基づく電圧値と前記基準電圧値との差の絶対値、及び、前記負側第３電位信号に基づく電圧値と前記基準電圧値との差の絶対値は、それぞれ、同一であり、前記電圧印加制御部は、前記温度検出部が検出した温度が前記第１の温度領域である場合には、書き換えが必要な表示用領域に対応する表示用電極に前記正側第１電位信号に基づく電圧値の電圧を第１時間長だけ印加するか、または、前記負側第１電位信号に基づく電圧値の電圧を第１時間長だけ印加し、前記温度検出部が検出した温度が前記第２の温度領域である場合には、書き換えが必要な表示用領域に対応する表示用電極に前記正側第２電位信号に基づく電圧値の電圧を第２時間長だけ印加するとともに前記共通電極にも前記負側第３電位信号に基づく電圧値の電圧を第２時間長だけ印加するか、または、書き換えが必要な表示用領域に対応する表示用電極に前記負側第２電位信号を第２時間長だけ印加するとともに前記共通電極にも前記正側第３電位信号に基づく電圧値の電圧を第２時間長だけ印加するようにしてもよい。
【００１９】
前記第２の温度領域に第１閾温度が設定されており、前記電圧印加制御部は、前記温度検出部が検出した温度が前記第２の温度領域であって前記第１閾温度よりも高い場合に、前記２時間長よりも短い第３時間長だけ、書き換えが必要な表示用領域に対応する表示用電極に前記正側第２電位信号に基づく電圧値の電圧を印加するとともに前記共通電極に前記負側第３電位信号に基づく電圧値の電圧を印加するか、または、前記２時間長よりも短い第３時間長だけ、書き換えが必要な表示用領域に対応する表示用電極に前記負側第２電位信号を印加するとともに前記共通電極に前記正側第３電位信号に基づく電圧値の電圧を印加するようにしてもよい。
【００２０】
前記電圧印加制御部は、前記温度検出部が検出した温度が前記第２の温度領域であって前記第１閾温度よりも高いほど、前記第３時間長を短くしてもよい。
【発明の効果】
【００２１】
本発明によれば、表示媒体に対する所望の駆動エネルギーを効率的に得て、効果的な表示書き換えを実行することができる反射型表示装置の駆動方法及び反射型表示装置を提供することができる。
【図面の簡単な説明】
【００２２】
【図１】本発明の一実施の形態による反射型表示装置の構成を概略的に示す断面図である。
【図２】図１に示す反射型表示装置の電極配置の一例を概略的に示す図である。
【図３】図１に示す反射型表示装置が第１の温度領域において表示書き換えを実行する場合の表示画像、及び、その駆動信号の一例を示した図である。
【図４】図１に示す反射型表示装置が第２の温度領域において表示書き換えを実行する場合の表示画像、及び、その駆動信号の一例を示した図である。
【図５】図１に示す反射型表示装置の変形例１にかかる駆動信号を示した図である。
【図６】図１に示す反射型表示装置の変形例２にかかる駆動信号を示した図である。
【図７】表示媒体の温度と、所定の表示態様で表示書き換えを実行するために必要となる駆動エネルギーとの関係の一例を示した図である。
【発明を実施するための形態】
【００２３】
図１は、本発明の一実施の形態による反射型表示装置の構成を概略的に示す断面図である。本実施の形態による反射型表示装置は、少なくとも一方が透光性を有しており各々電極１１１，１６１が形成されている対向する２枚の基板間１１，１６に、少なくとも１種以上の電気応答性材料を含む表示媒体１３が封入されていて、２枚の基板１１，１６間に所定の電界が与えられる際に表示媒体１３が所望の表示をするようになっている。ここで、本件の明細書及び特許請求の範囲において「透光性」とは、光を透過する性質、という程度の意味である。本実施の形態においては、視認側に配置される基板（一方の基板１１）は、全光透過率が５０％以上、好ましくは８０％以上、さらに好ましくは９０％以上となるような透光性を有している。
【００２４】
本実施の形態においては、一方の基板１１と他方の基板１６との間に、複数の表示用領域１５（ａ〜ｈ）（図１においては、１５ａ，１５ｂのみを示す）を覆う共通電極１１１と、表示媒体１３が配置された表示媒体層１５と、前記表示用領域の各々に対応する複数の電極１６１とが、一方の基板１１の側から他方の基板１６の側に向かう方向に見て当該順序で設けられている。ここで、本件の明細書及び特許請求の範囲において「表示用領域」とは、反射型表示装置において所望の表示に利用される領域、という意味である。
【００２５】
本実施の形態では、一方の基板１１が視認側に配置され、他方の基板１６が非視認側に配置される。
【００２６】
一方の基板１１としては、ポリエチレン（ＰＥ）、ポリエチレンテレフタレート（ＰＥＴ）、ポリエーテルサルフォン（ＰＥＳ）、ポリエチレンナフタレート（ＰＥＮ）等の透光性フィルムや透光性ガラスに、共通電極１１１として、酸化インジウムスズ（ＩＴＯ）、酸化亜鉛（ＺｎＯ）、酸化スズ（ＳｎＯ）等の透光性電極を付したものが、典型的に用いられ得る。
【００２７】
共通電極１１１は、塗工法やスパッタリング、真空蒸着法、ＣＶＤ法等によって、少なくとも一方の基板１１の表示用領域を覆うように形成される。共通電極１１１は、必ずしもパターンが形成されている必要は無く、基板全面が電極であってもよい。
【００２８】
一方の基板１１の厚みは、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００２９】
一方の基板１１は、ロール状でもシート状でもどちらでも適用可能である。
【００３０】
他方の基板１６としては、樹脂フィルム、樹脂板、ガラス、エポキシガラス（ガラエポ）等の表示媒体側の面に金属等の導電性材料によって画素電極１６１が形成されたものが用いられ得る。本実施の形態の画素電極１６１は、図２を用いて後述するように、いわゆるセグメント電極である。
【００３１】
また他方の基板１６は、透光性を有する基材が用いられてもよい。さらに透光性を有しているが不透明な基材であってもよく、電極面とは異なるもう一方の面を粗面化した不透明なガラス基材、樹脂フィルム、樹脂板、ガラス、エポキシガラス（ガラエポ）等が用いられ得る。本実施の形態では、他方の基板１６は、視認側と反対側の位置に配置されるため、透光性を有している必然性はない。しかし、熱膨張特性など一方の基板１１と同じ物性が必要とされる場合は、一方の基板１１と同様の透光性の部材が使用され得る。
【００３２】
他方の基板１６の厚みも、一方の基板１１の厚みと同様に、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００３３】
他方の基板１６も、ロール状でもシート状でもどちらでも適用可能である。
【００３４】
本実施の形態では、図２に示すように、いわゆる７セグメント表示とその背景表示に対応する８個のセグメント電極１６１（ａ〜ｈ）が、他方の基板１６の表示領域を網羅するように配置されている。もっとも、ｍ×ｎ個の画素に個別に対応するｍ×ｎ個のセグメント電極１６１の配置や、他の所定の表示パターンを提供する他の配置も、採用され得る。そして、本実施の形態の各セグメント電極１６１（ａ〜ｈ）は、図１及び図２に示すように、信号線ドライバ２０を介して、信号生成部２１に接続されている。また、前述した表示用領域１５（ａ〜ｈ）は、複数の電極１６１の数及び形状に対応して設けられている。具体的に、本実施の形態では、７セグメント表示とその背景表示に対応する８個の表示用領域１５（a〜ｈ）が設けられている。
【００３５】
図１に戻って、本実施の形態の表示媒体層１５は、一方の基板１１と他方の基板１６との間において複数のセルを区画する隔壁１２を有している。ここで、「セル」とは、電気応答性材料の沈降や偏在に起因して表示の不良、特にコントラストの低下を防止するべく上下の電極基板１１，１６間において分割された、電気泳動する電気応答性材料の微小な泳動空間、すなわち移動空間を意味する。なお、当該移動空間は、マイクロカプセル等、他の構造物によって分割されてもよい。また、電気応答性材料の沈降や偏在の虞が低い場合には、上下の電極基板１１，１６間の空間は、このような構造物によって分割されていなくてもよい。
【００３６】
隔壁１２は、紫外線硬化樹脂、熱硬化樹脂、常温硬化樹脂等によって構成可能であり、隔壁１２の形成方法は、フォトリソグラフィ法の他、エンボス加工などの型転写方法も採用され得る。さらに、所望のパターンの構造物を隔壁として製造しておいて、それを一方の基板１１に貼り付けるという方法も採用され得る。開口率は、７０％以上が好ましく、特に９０％以上が好ましい。高開口率であるほど、表示可能エリアが広くなるため、高コントラストを得ることができる。
【００３７】
隔壁１２の単位パターンの形状は、円、格子、六角形、その他の多角形など、基本的に任意である。また、セルのサイズ（ピッチ）は、表示パネルの大きさにもよるが、０．０５ｍｍ〜１ｍｍピッチ、好ましくは０．１ｍｍ〜０．５ｍｍピッチである。ここで、ピッチとは、隣接するセルの中心点の距離を意味している。
【００３８】
もっとも、隔壁１２で形成されるセルの形状は、必ずしも全てのセルで同じでなくてもよい。例えば、ランダムな形状の複数の多角形からなるパターンも採用され得る。
【００３９】
隔壁１２の高さは、５〜５０μｍ、好ましくは１０〜５０μｍである。５μｍ以下では、充填するインキ量が少なく、十分な表示特性、特にコントラストが得られない一方、５０μｍ以上では、パネルの厚みが厚すぎて、駆動電圧が上昇し過ぎてしまう。低駆動電圧で良好な表示特性が得られるという観点から、１０〜５０μｍの範囲の高さが好適である。
【００４０】
隔壁１２の頂面と、他方の基板１６上の電極１６１または他方の基板１６上の他の要素または他方の基板１６と、の間には、隔壁１２の頂面と、他方の基板１６上の電極１６１または他方の基板１６上の他の要素または他方の基板１６と、を接着させるための接着層（不図示）が設けられていてもよい。
【００４１】
接着層は、例えば転写法や印刷法により、ポリエステル系熱可塑性接着剤のような熱可塑性樹脂が、１μｍ〜１００μｍの厚みで形成される。好ましくは、１μｍ〜５０μｍの厚みで形成され、特に好ましくは、１μｍ〜２０μｍの厚みで形成される。
【００４２】
接着層を形成するための接着剤としては、熱可塑性材料を用いた接着剤が好ましく、加熱により軟化して、冷却すると固化する性質を有し、冷却と加熱を繰り返した場合に、塑性が可逆的に保たれる材料である。
【００４３】
具体的には、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した樹脂が主に使用される。
【００４４】
隔壁１２と接着剤との密着性を上げるために、隔壁１２に紫外線照射やプラズマ処理などにより表面処理が施されてもよいし、プライマーが形成されてもよい。あるいは、接着剤の方にシランカップリング剤が添加されてもよい。
【００４５】
表示媒体１３は、少なくとも１種以上の電気応答性材料を含んでいる。電気応答性材料としては、電荷粒子材料、液晶材料があり、電荷粒子材料には白や黒、カラーなどの色づけされた粒子が電場に応答して移動するいわゆる電気泳動材料、または、粒子が二色に色分けされ電場により回転するツイストボールに代表される材料、または、電場により移動するナノ粒子材料等がある。一方、液晶材料は、ＰＤＬＣ（Ｐｏｌｙｍｅｒ  Ｄｉｓｐｅｒｓｅｄ  Ｌｉｑｕｉｄ  Ｃｒｙｓｔａｌ）で知られる透過と散乱を電気的に制御する材料や、液晶に色素を混合した材料、コレステリック液晶材料などがある。
【００４６】
本実施の形態においては、表示媒体１３は、白の電気応答性材料と黒の電気応答性材料を含んでおり、白の電気応答性材料は、正に帯電されており、黒の電気応答性材料は、負に帯電されている。これにより、セグメント電極１６１に共通電極１１１よりも高い電位が印加されると、正に帯電した白の電気応答性材料が共通電極１１１の側に引き寄せられ、表示媒体１３中の負に帯電した黒の電気応答性材料がセグメント電極１６１の側に引き寄せられるようになっている。また、セグメント電極１６１に共通電極１１１よりも低い電位が印加されると、正に帯電した白の電気応答性材料がセグメント電極１６１の側に引き寄せられ、表示媒体１３中の負に帯電した黒の電気応答性材料が共通電極１１１の側に引き寄せられるようになっている。
【００４７】
また、図１及び図２に示すように、信号生成部２１が、制御部２２からの表示書き換えの実行命令に基づいて駆動信号（駆動シーケンス）を生成するようになっている。信号生成部２１は、特許請求の範囲でいう電圧印加制御部に対応する。また、本実施の形態では、温度検出部２４が、表示媒体１３の温度に適した駆動シーケンスを決定するための温度を検出するために設けられ、制御部２２に接続されている。ここで、本実施の形態では、温度検出部２４が、一例として、反射型表示装置の外観を構成する筐体の内部に収容された信号生成部２１等が設けられる回路基板（図示省略）に設けられており、温度検出部２４は、前記筐体の内部における回路基板の周囲の温度を検出するようになっている。なお、本実施の形態では、温度検出部２４によって筐体の内部における回路基板の周囲の温度を検出するが、他の態様として、温度検出部２４は、例えば、表示媒体１３自体の温度を直接検出してもよいし、基板１１や基板１６の温度を検出してもよい。また、温度検出部２４は、反射型表示装置の外部環境の温度を検出してもよい。
【００４８】
例えば、表示書き換えの所望の実行タイミングに先行するタイミングで、本実施の形態の温度検出部２４は、筐体の内部における回路基板の周囲の温度を検出するようになっている。
【００４９】
そして、本実施の形態の制御部２２は、温度検出部２４の検出した温度の情報と共に表示書き換えの実行命令を信号生成部２１に所定のタイミングで出力するようになっている。信号生成部２１は、出力された温度の情報に基づいて駆動信号を生成し、本実施の形態では信号線ドライバ２０を介して各セグメント電極１６１及び／または共通電極１１１に電圧を印加するようになっている。
【００５０】
制御部２２から温度の情報及び表示書き換えの実行命令を出力された信号生成部２１は、第１の温度領域（例えば、０℃以上５０℃未満）と当該第１の温度領域よりも低い第２の温度領域（例えば、−３０℃以上０℃未満）とに応じて、各セグメント電極１６１への電圧印加の要／不要と、共通電極１１１への電圧印加の要／不要と、要の場合の符号と、について判別するようになっている。
【００５１】
具体的に、温度検出部２４が検出した温度が第１の温度領域であって書き換えが必要な表示用領域に対応するセグメント電極１６１がある場合には、図３（Ｂ）に示すように、書き換えの所望のタイミング（図中、ＩＩ）で、信号生成部２１は、共通電極１１１に一定の基準電圧値（基準電位）を維持する基準電位信号Ｃを印加するとともに、図３（Ｃ）に示すように、書き換えが必要な表示用領域に対応するセグメント電極１６１に、基準電圧値よりも高い電圧値（＋Ｖ）を印加するための正側第１電位信号（Ｐ１）を印加するか、または、図３（Ｄ）に示すように、基準電圧値よりも低い電圧値（−Ｖ）を印加するための負側第１電位信号（Ｎ１）を印加するようになっている。
【００５２】
本実施の形態では、表示媒体１３のうちの白の電気応答性材料が正に帯電されており、黒の電気応答性材料は負に帯電されている。したがって、温度検出部２４が検出した温度が第１の温度領域である場合に、セグメント電極１６１に正側第１電位信号（Ｐ１）に基づく電圧値（＋Ｖ）を印加した際には、当該セグメント電極１６１に対応する表示用領域は、表示媒体１３のうちの白の電気応答性材料が共通電極１１１側に引き寄せられることによって、白表示への表示書き換えが行われるようになっている。また、セグメント電極１６１に負側第１電位信号（Ｎ１）に基づく電圧値（−Ｖ）を印加した際には、当該セグメント電極１６１に対応する表示用領域は、表示媒体１３のうちの黒の電気応答性材料が共通電極１１１側に引き寄せられることによって、黒表示への表示書き換えが行われるようになっている。
【００５３】
また、温度検出部２４が検出した温度が第１の温度領域であって書き換えが不要な表示用領域がある場合には、共通電極１１１に基準電位信号Ｃが印加されるとともに、書き換えが不要な表示用領域に対応するセグメント電極１６１に共通電極１１１と同様の基準電位信号Ｃが印加されるようになっている。図３（Ｃ），（Ｄ）においても、書き換えの所望のタイミングＩＩの前後では、セグメント電極１６１に基準電位信号Ｃが印加されている。この場合、共通電極１１１とセグメント電極１６１との間の電位差が０となることで、表示媒体１３は泳動せず、書き換えが行われないようになっている。なお、信号生成部２１は、タイミングＩＩの前後（Ｉ，ＩＩＩ）においても共通電極１１１には基準電位信号Ｃをするようになっている。
【００５４】
また、信号生成部２１は、温度検出部２４が検出した温度が第２の温度領域であって書き換えが必要な表示用領域に対応するセグメント電極１６１がある場合には、書き換えの所望のタイミングＩＩで、図４（Ｃ）に示すように、書き換えが必要な表示用領域に対応するセグメント電極１６１に基準電圧値（基準電位）よりも高い電圧値（＋Ｖ）を印加するための正側第２電位信号（Ｐ２、白抜きのパルス波形で示した部分）を印加するとともに、図４（Ｂ）に示すように、共通電極１１１に基準電圧値よりも低い電圧値（−Ｖ）を印加するための負側第３電位信号（Ｎ３）を印加するか、または、図４（Ｄ）に示すように、書き換えが必要な表示用領域に対応するセグメント電極１６１に基準電圧値よりも低い電圧値（−Ｖ）を印加するための負側第２電位信号（Ｎ２、白抜きのパルス波形で示した部分）を印加するとともに、図４（Ｂ）に示すように、共通電極１１１に基準電圧値よりも高い電圧値（＋Ｖ）を印加するための正側第３電位信号（Ｐ３）を印加するようになっている。
【００５５】
温度検出部２４が検出した温度が第２の温度領域である場合、セグメント電極１６１に正側第２電位信号（Ｐ２）に基づく電圧値（＋Ｖ）を印加するとともに共通電極１１１に負側第３電位信号（Ｎ３）に基づく電圧値（−Ｖ）を印加した際には、当該セグメント電極１６１に対応する表示用領域は、表示媒体１３のうちの正に帯電した白の電気応答性材料が共通電極１１１側に引き寄せられることによって、白表示への表示書き換えが行われるようになっている。また、セグメント電極１６１に負側第２電位信号（Ｎ２）に基づく電圧値（−Ｖ）を印加するとともに共通電極１１１に正側第３電位信号（Ｐ３）に基づく電圧値（＋Ｖ）を印加した際には、当該セグメント電極１６１に対応する表示用領域は、表示媒体１３のうちの負に帯電した黒の電気応答性材料が共通電極１１１側に引き寄せられることによって、黒表示への表示書き換えが行われるようになっている。
【００５６】
また、温度検出部２４が検出した温度が第２の温度領域であって、書き換えが必要な表示用領域と書き換えが不要な表示用領域とがある場合には、共通電極１１１に負側第３電位信号（Ｎ３）が印加される際に、図４（Ｄ）に示すように書き換えが不要な表示用領域に対応するセグメント電極１６１に負側第３電位信号（Ｎ３、図中ハッチングを付したパルス波形の部分）が印加されるようになっている。この場合、共通電極１１１とセグメント電極１６１との間の電位差が０となることで、表示媒体１３は泳動せず、書き換えが行われないようになっている。あるいは、共通電極１１１に正側第３電位信号（Ｐ３）が印加される際に、図４（Ｃ）に示すように書き換えが不要なセグメント電極１６１に正側第３電位信号（Ｐ３、図中ハッチングを付したパルス波形の部分）が印加されるようになっている。この場合も、共通電極１１１とセグメント電極１６１との間の電位差が０となることで、表示媒体１３は泳動せず、書き換えが行われないようになっている。
【００５７】
本実施の形態においては、正側第１電位信号（Ｐ１）に基づく電圧値（＋Ｖ）と基準電圧値との差の絶対値、負側第１電位信号（Ｎ１）に基づく電圧値（−Ｖ）と基準電圧値との差の絶対値、正側第２電位信号（Ｐ２）に基づく電圧値（＋Ｖ）と基準電圧値との差の絶対値、負側第２電位信号（Ｎ２）に基づく電圧値（−Ｖ）と基準電圧値との差の絶対値、正側第３電位信号（Ｐ３）に基づく電圧値（＋Ｖ）と基準電圧値との差の絶対値、及び、負側第３電位信号（Ｎ３）に基づく電圧値（−Ｖ）と基準電圧値との差の絶対値は、それぞれ、同一となっている。
【００５８】
また、図３（Ｃ），（Ｄ）に示すように、本実施の形態では、第１の温度領域である場合において、書き換えが必要な表示用領域に対応するセグメント電極１６１に正側第１電位信号（Ｐ１）に基づく電圧値の電圧を第１時間長Ｔ１だけ印加するか、または、負側第１電位信号（Ｎ１）に基づく電圧値の電圧を第１時間長Ｔ１だけ印加するようになっている。また、この際、書き換えが不要な表示領域に対応するセグメント電極１６１には、基準電位信号Ｃが一定の状態で印加されるようになっている。
【００５９】
一方、図４（Ｂ）〜（Ｄ）に示すように、本実施の形態では、第２の温度領域である場合に、書き換えが必要な表示用領域に対応するセグメント電極１６１に正側第２電位信号（Ｐ２）に基づく電圧値の電圧を第２時間長Ｔ２だけ印加するとともに共通電極１１１にも負側第３電位信号（Ｎ３）に基づく電圧値の電圧を第２時間長Ｔ２だけ印加するか、または、書き換えが必要な表示用領域に対応するセグメント電極１６１に負側第２電位信号（Ｎ２）を第２時間長Ｔ２だけ印加するとともに共通電極１１１にも正側第３電位信号（Ｐ３）に基づく電圧値の電圧を第２時間長Ｔ２だけ印加するようになっている。また、この際、書き換えが不要な表示用領域に対応するセグメント電極１６１には、負側第３電位信号（Ｎ３）に基づく電圧値（＋Ｖ）の電圧が第２時間長Ｔ２だけ印加されるか、または、正側第３電位信号（Ｐ３）に基づく電圧値（−Ｖ）の電圧が第２時間長Ｔ２だけ印加されるようになっている。
【００６０】
次に、図３を参照して、第１の温度領域における表示書き換えについて、より具体的に説明する。図３（Ａ）には、表示書き換え前後の表示画像の一例が示されている。以下では、図３（Ａ）に示すように、セグメント電極１６１ａ，ｃ，ｄ，ｅ，ｇに対応する表示用領域１５ａ，ｃ，ｄ，ｅ，ｇを黒表示として、セグメント電極１６１ｂ，ｆに対応する表示用領域１５ｂ，ｆを白表示として、「２」を表示した表示画像を、セグメント電極１６１ｅに対応する表示用領域１５ｅを黒表示から白表示に書き換えるとともにセグメント電極１６１ｆに対応する表示用領域１５ｆを白表示から黒表示に書き換えて、「３」を表示した表示画像に書き換える場合について説明する。
【００６１】
この場合、図３（Ｂ）に示すように、信号生成部２１は、所望の書き換えタイミングＩＩ及びその前後（Ｉ，ＩＩＩ）にわたって、常時、共通電極１１１に一定の基準電圧値（基準電位）を維持する基準電位信号Ｃを印加する。また、図３（Ｃ），（Ｄ）に示すように、セグメント電極１６１ｅ及びセグメント電極１６１ｆに対しても、所望の書き換えタイミングＩＩの前（Ｉ）には、基準電位信号Ｃが印加される。
【００６２】
そして、所望の書き換えタイミングＩＩで、信号生成部２１は、図３（Ｃ）に示すようにセグメント電極１６１ｅに、基準電圧値よりも高い電圧値（＋Ｖ）を印加するための正側第１電位信号（Ｐ１）を第１時間長Ｔ１だけ印加する。これにより、表示媒体１３のうちの正に帯電した白の電気応答性材料が共通電極１１１の側に引き寄せられ、セグメント電極１６１ｅに対応する表示用領域１５ｅが黒表示から白表示へ書き換えられる。正側第１電位信号（Ｐ１）を第１時間長Ｔ１だけ印加した後は、セグメント電極１６１ｅには、基準電位信号Ｃが印加される。
【００６３】
また、所望の書き換えタイミングＩＩで、信号生成部２１は、図３（Ｄ）に示すようにセグメント電極１６１ｆに、基準電圧値よりも低い電圧値（−Ｖ）を印加するための負側第１電位信号（Ｎ１）を第１時間長Ｔ１だけ印加する。これにより、表示媒体１３のうちの負に帯電した黒の電気応答性材料が共通電極１１１の側に引き寄せられ、セグメント電極１６１ｆに対応する表示用領域１５ｆが白表示から黒表示へ書き換えられる。負側第１電位信号（Ｎ１）を第１時間長Ｔ１だけ印加した後は、セグメント電極１６１ｆには、基準電位信号Ｃが印加される。これにより、「２」を表示した表示画像が「３」を表示した表示画像に書き換えられる。
【００６４】
このような第１の温度領域における表示書き換えにおいては、セグメント電極１６１のみに対する電圧制御で表示書き換えを実行することで、複数のセグメント電極１６１（表示用領域）毎で異なる階調の表示書き換えを同時に行うことができるため、当該温度領域での書き換え時間を短く抑えることができる。
【００６５】
次に、図４を参照して、第２の温度領域における表示書き換えについて、より具体的に説明する。ここでは、図３と同様に、図４（Ａ）に示すように「２」を表示した表示画像を、セグメント電極１６１ｅに対応する表示用領域１５ｅを黒表示から白表示に書き換えるとともにセグメント電極１６１ｆに対応する表示用領域１５ｆを白表示から黒表示に書き換えて、「３」を表示した表示画像に書き換える場合について説明する。
【００６６】
この場合、図４（Ｂ）に示すように、信号生成部２１は、所望の書き換えタイミングＩＩの前（Ｉ）には、共通電極１１１に一定の基準電圧値（基準電位）を維持する基準電位信号Ｃを印加する。また、図４（Ｃ），（Ｄ）に示すように、セグメント電極１６１ｅ及びセグメント電極１６１ｆに対しても、所望の書き換えタイミングＩＩの前（Ｉ）には、基準電位信号Ｃが印加される。
【００６７】
そして、所望の書き換えタイミングＩＩで、信号生成部２１は、図４（Ｃ）に示すようにセグメント電極１６１ｅに、基準電圧値よりも高い電圧値（＋Ｖ）を印加するための正側第２電位信号（Ｐ２、白抜きのパルス波形で示した部分）を第２時間Ｔ２だけ印加するとともに（同時に）、図４（Ｂ）に示すように、共通電極１１１に基準電圧値よりも低い電圧値（−Ｖ）を印加するための負側第３電位信号（Ｎ３）を第２時間Ｔ２だけ印加する。これにより、表示媒体１３のうちの正に帯電した白の電気応答性材料が共通電極１１１の側に引き寄せられ、セグメント電極１６１ｅに対応する表示用領域１５ｅが黒表示から白表示へ書き換えられる。ここでの電位差は２Ｖであり、第１の温度領域で発生する電位差の２倍の電位差による駆動エネルギーで書き換えが行われる。
【００６８】
また、当該白表示への書き換えの際には、共通電極１１１に負側第３電位信号（Ｎ３）が印加されることで、白表示への書き換えの不要なセグメント電極１６１ｆに基準電位信号Ｃが印加されていると、セグメント電極１６１ｆに対応する表示用領域１５ｆにおいても白の電気応答性材料が共通電極１１１側に引き寄せられてしまう。したがって、本実施の形態では、図４（Ｄ）に示すように、セグメント電極１６１ｆに、負側第３電位信号（Ｎ３、図中ハッチングを付したパルス波形の部分）が第２時間長Ｔ２だけ印加される。これにより、セグメント電極１６１ｅの白表示への表示書き換え中に、セグメント電極１６１ｆまでもが白表示へ不必要に書き換えられることが防止される。
【００６９】
そして、白表示への書き換えの後、本実施の形態では白表示への書き換えに連続して、信号生成部２１は、図４（Ｄ）に示すようにセグメント電極１６１ｆに、基準電圧値よりも低い電圧値（−Ｖ）を印加するための負側第２電位信号（Ｎ２、白抜きのパルス波形で示した部分）を第２時間長Ｔ２だけ印加するとともに、図４（Ｂ）に示すように、共通電極１１１に基準電圧値よりも高い電圧値（＋Ｖ）を印加するための正側第３電位信号（Ｐ３）を第２時間長Ｔ２だけ印加する。これにより、表示媒体１３のうちの負に帯電した黒の電気応答性材料が共通電極１１１の側に引き寄せられ、セグメント電極１６１ｆに対応する表示用領域１５ｆが白表示から黒表示へ書き換えられる。ここでの電位差は２Ｖであり、第１の温度領域で発生する電位差の２倍の電位差による駆動エネルギーで書き換えが行われる。そして、セグメント電極１６１ｆに負側第２電位信号（Ｎ２）を第２時間長Ｔ２だけ印加した後は、セグメント電極１６１ｆには、基準電位信号Ｃが印加される。
【００７０】
また、当該黒表示への書き換えの際には、共通電極１１１に正側第３電位信号（Ｐ３）が印加されることで、黒表示への書き換えの不要なセグメント電極１６１ｅに基準電位信号Ｃが印加されていると、セグメント電極１６１ｅに対応する表示用領域１５ｅにおいても黒の電気応答性材料が共通電極１１１側に引き寄せられてしまう。したがって、本実施の形態では、図４（Ｃ）に示すように、セグメント電極１６１ｅに、正側第３電位信号（Ｐ３、図中ハッチングを付したパルス波形の部分）が第２時間長Ｔ２だけ印加される。これにより、セグメント電極１６１ｆの黒表示への表示書き換え中に、セグメント電極１６１ｅまでもが不必要に黒表示へ書き換えられることが防止される。そして、セグメント電極１６１ｅに正側第３電位信号（Ｐ３）を第２時間長Ｔ２だけ印加した後は、セグメント電極１６１ｅには、基準電位信号Ｃが印加される。
【００７１】
本実施の形態では、上述のようにして「２」を表示した表示画像が「３」を表示した表示画像に書き換えられる。
【００７２】
以上に記載した本実施の形態によれば、第２の温度領域における表示書き換えのときに、書き換えが必要な表示用領域に対応するセグメント電極１６１に基準電圧値（基準電位）よりも高い電圧値（＋Ｖ）を印加するための正側第２電位信号（Ｐ２）するとともに共通電極１１１に基準電圧値よりも低い電圧値（−Ｖ）を印加するための負側第３電位信号（Ｎ３）を印加するか、または、書き換えが必要な表示用領域に対応するセグメント電極１６１に基準電圧値よりも低い電圧値を印加するための負側第２電位信号（Ｎ２）を印加するとともに共通電極１１１に基準電圧値よりも高い電圧値を印加するための正側第３電位信号（Ｐ３）を印加する。これにより、第１の温度領域よりも低温域である第２の温度領域において良好な表示書き換えを実行するための表示媒体１３に対する所望の駆動エネルギーを効率的に得ることができるため、効果的な表示書き換えを実行することができる。
【００７３】
また、表示書き換えの際に、常時、共通電極１１１とセグメント電極１６１とに基準電圧値を基準とした正側の電圧または負側の電圧を振り分けて印加する方式では、２階調（例えば、白黒表示と白と黒）の表示書き換えを行うには、２段階の書き換えが必要になる。具体的には、当該方式では、例えば、２階調のうちの一方の階調（例えば、白黒表示のうちの白）に書き換えが必要なセグメント電極１６１に正側の電圧を印加し、共通電極に負側の電圧を印加し、かつ書き換えが不要な表示用電極に負側の電圧を印加して白表示への表示書き換えを実行した後に、他の階調（例えば、白黒表示のうちの黒）に書き換えが必要なセグメント電極１６１に負側の電圧を印加し、共通電極１１１に正側の電圧を印加し、かつ書き換えが不要な表示用電極に正側の電圧を印加して黒表示への表示書き換えを実行する必要がある。このため、書き換え時間が長くなってしまう。
【００７４】
しかしながら、本実施の形態によれば、第１の温度領域では、セグメント電極１６１のみに対する電圧制御で表示書き換えを実行することで、複数のセグメント電極１６１（表示用領域）毎で異なる階調（白と黒）の表示書き換えを同時に行うことができるため、当該温度領域での書き換え時間を短く抑えることができる。一方、第２の温度領域においては、前述と同様に２段階の書き換えが必要になるものの、表示媒体に対する所望の駆動エネルギーを効率的に得て表示書き換えを実行することができるため、当該温度領域においても書き換え時間を短く抑えることができる。
【００７５】
また、本実施の形態では、正側第１電位信号（Ｐ１）に基づく電圧値と基準電圧値との差の絶対値、負側第１電位信号（Ｎ１）に基づく電圧値と基準電圧値との差の絶対値、正側第２電位信号（Ｐ２）に基づく電圧値と基準電圧値との差の絶対値、負側第２電位信号に基づく電圧値（Ｎ２）と基準電圧値との差の絶対値、正側第３電位信号（Ｐ３）に基づく電圧値と基準電圧値との差の絶対値、及び、負側第３電位信号（Ｎ３）に基づく電圧値と基準電圧値との差の絶対値は、それぞれ、同一である。このため、表示書き換え時の電圧の印加時間を調整しつつ、基準電圧値と、当該基準電圧値に対して高い電圧値（＋Ｖ）と、当該基準電圧値に対して低い電圧値（−Ｖ）の３つの電圧値の電圧の印加を制御することで、第１の温度領域及び第２の温度領域それぞれに応じた適切な大小関係の表示媒体に対する駆動エネルギーを生じさせることができるため、第１の温度領域と第２の温度領域とでそれぞれ異なる駆動エネルギーを生じさせるための制御を、効率的にかつ低コストで実現できる。
【００７６】
（変形例１）
上述の実施の形態では、第１の温度領域を０℃以上５０℃未満に設定し、第２の温度領域を−３０℃以上０℃未満に設定した例を挙げ、温度検出部２４が検出した温度が−３０℃以上０℃未満の間の値であれば、書き換えが必要なセグメント電極１６１に電圧値（＋Ｖ）が第２時間長Ｔ２だけ印加されるとともに共通電極１１１に電圧値（−Ｖ）が第２時間長Ｔ２だけ印加されるか、または、セグメント電極１６１に電圧値（−Ｖ）が第２時間長Ｔ２だけ印加されるとともに共通電極１１１に電圧値（＋Ｖ）が第２時間長Ｔ２だけ印加されることを説明した。
【００７７】
これに対して、変形例１では、第２の温度領域（例えば、−３０℃以上０℃未満）に第１閾温度（例えば、−２０℃）が設定されており、温度検出部２４が検出した温度が第２の温度領域であって第１閾温度よりも高い場合に、第２時間長Ｔ２よりも短い第３時間長Ｔ３だけ、書き換えが必要な表示用領域に対応する表示用電極１６１に正側第２電位信号（Ｐ２）に基づく電圧値（＋Ｖ）の電圧を印加するとともに共通電極１１１に負側第３電位信号（Ｎ３）に基づく電圧値（−Ｖ）の電圧を印加するか、または、第３時間長Ｔ３だけ、書き換えが必要な表示用領域に対応する表示用電極１６１に負側第２電位信号（Ｎ２）に基づく電圧値（−Ｖ）を印加するとともに共通電極１１１に正側第３電位信号（Ｐ３）に基づく電圧値（＋Ｖ）の電圧を印加するようになっている。
【００７８】
より詳しくは、本変形例１では、図５（Ａ）に示すように、温度検出部２４が検出した温度が−２０℃の場合に、書き換えが必要なセグメント電極１６１に電圧値（＋Ｖ）が第２時間長Ｔ２だけ印加されるとともに共通電極１１１に電圧値（−Ｖ）が第２時間長Ｔ２だけ印加されるか、または、セグメント電極１６１に電圧値（−Ｖ）が第２時間長Ｔ２だけ印加されるとともに共通電極１１１に電圧値（＋Ｖ）が第２時間長Ｔ２だけ印加されるようになっている。そして、図５（Ｂ）に示すように、温度検出部２４が検出した温度が−１５℃の場合は、書き換えが必要なセグメント電極１６１に電圧値（＋Ｖ）が０．７５×Ｔ２（第３時間長Ｔ３（−１５℃））だけ印加されるとともに共通電極１１１に電圧値（−Ｖ）が０．７５×Ｔ２（第３時間長Ｔ３（−１５℃））だけ印加されるか、または、セグメント電極１６１に電圧値（−Ｖ）が０．７５×Ｔ２（第３時間長Ｔ３（−１５℃））だけ印加されるとともに共通電極１１１に電圧値（＋Ｖ）が０．７５×Ｔ２（第３時間長Ｔ３（−１５℃））だけ印加されるようになっている。
【００７９】
また、図５（Ｃ）に示すように、温度検出部２４が検出した温度が−１０℃の場合は、書き換えが必要なセグメント電極１６１に電圧値（＋Ｖ）が０．５×Ｔ２（第３時間長Ｔ３（−１０℃））だけ印加されるとともに共通電極１１１に電圧値（−Ｖ）が０．５×Ｔ２（第３時間長Ｔ３（−１０℃））だけ印加されるか、または、セグメント電極１６１に電圧値（−Ｖ）が０．５×Ｔ２（第３時間長Ｔ３（−１０℃））だけ印加されるとともに共通電極１１１に電圧値（＋Ｖ）が０．５×Ｔ２（第３時間長Ｔ３（−１０℃））だけ印加されるようになっている。
【００８０】
ここで、図７には、表示媒体１３の温度と、所定の表示態様（例えば、所定値以上の反射率等）で表示書き換えを実行するために必要となる駆動エネルギーとの関係の一例が示されている。図７に示すように、所定の表示態様で表示書き換えを実行する場合、温度ＴＨ２以上では、必要とされる駆動エネルギーは略一定であるものの、温度ＴＨ２よりも低くなると、必要とされる駆動エネルギーは、急激に上昇する傾向がある。本変形例１では、第１の温度領域と、第２の温度領域と、第１閾温度と、を、図７に示すような傾向に基づき定めている。
【００８１】
具体的に、この例では、ＴＨ２が０℃であり、０℃以上であれば、所定の表示態様で表示書き換えを実行するために必要とされる駆動エネルギーがＥ１で略一定であるため、０℃以上の温度領域を第１の温度領域として定め、０℃よりも低い温度領域を第２の温度領域として定めている。そして、第２の温度領域において、第１の温度領域における駆動エネルギーＥ１の２倍の駆動エネルギー（２×Ｅ１）を得なければ、所定の表示態様が得られ難い温度ＴＨ１が、−２０℃となっており、−２０℃を第１閾温度に定めている。
【００８２】
表示媒体１３の温度が第２温度領域において−２０℃よりも高い場合には、第１温度領域において必要とされる駆動エネルギーＥ１の２倍の駆動エネルギーまでは必要ない。そのため、本変形例１では、温度検出部２４が検出した温度が第１閾温度よりも高い場合に、電圧の印加時間を調整している。なお、本変形例１では、第３時間長Ｔ３（−１５℃）が０．７５×Ｔ２であり、第３時間長Ｔ３（−１０℃）が０．５×Ｔ２であると説明したが、これらは一例である。第３時間長Ｔ３の第２時間長Ｔ２に対する倍率は、図７に示す必要とされる駆動エネルギーに基づき定めるのがよい。
【００８３】
このような変形例１では、第１の温度領域よりも低温域である第２の温度領域において良好な表示書き換えを実行するための表示媒体１３に対する所望の駆動エネルギーを効率的かつ適切に得ることができるため、一層効果的な表示書き換えを実行することができる。
【００８４】
（変形例２）
変形例１では、温度検出部２４が検出した温度が第１閾温度よりも高い場合に、電圧の印加時間を調整した。これに対して、変形例２では、温度検出部２４が検出した温度が第２閾温度よりも低い場合に、電圧の印加時間を調整する。
【００８５】
すなわち、変形例２では、第２の温度領域（例えば、−３０℃以上０℃未満）に第２閾温度（例えば、−２０℃）が設定されており、温度検出部２４が検出した温度が第２の温度領域であって第２閾温度よりも低い場合に、第２時間長Ｔ２よりも長い第４時間長Ｔ４だけ、書き換えが必要な表示用領域に対応する表示用電極１６１に正側第２電位信号（Ｐ２）に基づく電圧値（＋Ｖ）の電圧を印加するとともに共通電極１１１に負側第３電位信号（Ｎ３）に基づく電圧値（−Ｖ）の電圧を印加するか、または、第４時間長Ｔ４だけ、書き換えが必要な表示用領域に対応する表示用電極１６１に負側第２電位信号（Ｎ２）に基づく電圧値（−Ｖ）の電圧を印加するとともに共通電極１１１に正側第３電位信号（Ｐ３）に基づく電圧値（＋Ｖ）の電圧を印加するようになっている。
【００８６】
より詳しくは、本変形例２では、図６（Ａ）に示すように、温度検出部２４が検出した温度が−２０℃の場合に、書き換えが必要なセグメント電極１６１に電圧値（＋Ｖ）が第２時間長Ｔ２だけ印加されるとともに共通電極１１１に電圧値（−Ｖ）が第２時間長Ｔ２だけ印加されるか、または、セグメント電極１６１に電圧値（−Ｖ）が第２時間長Ｔ２だけ印加されるとともに共通電極１１１に電圧値（＋Ｖ）が第２時間長Ｔ２だけ印加されるようになっている。そして、図６（Ｂ）に示すように、温度検出部２４が検出した温度が−２５℃の場合は、書き換えが必要なセグメント電極１６１に電圧値（＋Ｖ）が１．２５×Ｔ２（第４時間長Ｔ４（−２５℃））だけ印加されるとともに共通電極１１１に電圧値（−Ｖ）が１．２５×Ｔ２（第４時間長Ｔ４（−２５℃））だけ印加されるか、または、セグメント電極１６１に電圧値（−Ｖ）が１．２５×Ｔ２（第４時間長Ｔ４（−２５℃））だけ印加されるとともに共通電極１１１に電圧値（＋Ｖ）が１．２５×Ｔ２（第４時間長Ｔ４（−２５℃））だけ印加されるようになっている。
【００８７】
また、図６（Ｃ）に示すように、温度検出部２４が検出した温度が−３０℃の場合は、書き換えが必要なセグメント電極１６１に電圧値（＋Ｖ）が１．５×Ｔ２（第４時間長Ｔ４（−３０℃））だけ印加されるとともに共通電極１１１に電圧値（−Ｖ）が１．５×Ｔ２（第３時間長Ｔ４（−３０℃））だけ印加されるか、または、セグメント電極１６１に電圧値（−Ｖ）が１．５×Ｔ２（第４時間長Ｔ４（−３０℃））だけ印加されるとともに共通電極１１１に電圧値（＋Ｖ）が１．５×Ｔ２（第４時間長Ｔ４（−３０℃））だけ印加されるようになっている。
【００８８】
本変形例２においても、第１の温度領域と、第２の温度領域と、第１閾温度と、を、図７に示すような傾向に基づき定めている。
【００８９】
具体的に、この例では、ＴＨ２が０℃であり、０℃以上であれば、所定の表示態様で表示書き換えを実行するために必要とされる駆動エネルギーがＥ１で略一定であるため、０℃以上の温度領域を第１の温度領域として定め、０℃よりも低い温度領域を第２の温度領域として定めている。そして、第２の温度領域において、第１の温度領域における駆動エネルギーＥ１の２倍の駆動エネルギー（２×Ｅ１）を得なければ、所定の表示態様が得られ難い温度ＴＨ１が、−２０℃となっており、−２０℃を第２閾温度に定めている。
【００９０】
表示媒体１３の温度が第２温度領域において−２０℃よりも低い場合には、第１温度領域において必要とされる駆動エネルギーＥ１の２倍以上の駆動エネルギーが必要となる。そのため、本変形例２では、温度検出部２４が検出した温度が第１閾温度よりも低い場合に、電圧の印加時間を調整している。なお、本変形例２では、第４時間長Ｔ４（−２５℃）が１．２５×Ｔ２であり、第４時間長Ｔ４（−３０℃）が１．５×Ｔ２であると説明したが、これらは一例である。第４時間長Ｔ４の第２時間長に対する倍率は、図７に示す必要とされる駆動エネルギーに基づき定めるのがよい。
【００９１】
このような変形例２では、第１の温度領域よりも低温域である第２の温度領域において良好な表示書き換えを実行するための表示媒体１３に対する所望の駆動エネルギーを効率的かつ適切に得ることができるため、一層効果的な表示書き換えを実行することができる。
【００９２】
なお、変形例１と変形例２とを組み合わせても構わない。また、例えば、第２の温度領域において−２５℃以上−１５℃未満の範囲においては、第１温度領域において必要とされる駆動エネルギーＥ１の２倍の駆動エネルギーが得られるように、書き換え時に電位差２Ｖで第２時間長Ｔ１だけ電圧を印加し、温度検出部２４が検出した温度が−１５℃以上の場合には、変形例１のように印加時間を短く調整し、温度検出部２４が検出した温度が−２５℃未満の場合には、変形例２のように印加時間を長く調整する等してもよい。
【００９３】
（実施例）
次に、本発明の実施例を説明する。
【００９４】
本実施例では、本発明による反射型表示装置の第１の温度領域が０℃以上５０℃未満に設定され、第２の温度領域が−３０℃以上０℃未満に設定されている。正側第１電位信号（Ｐ１）に基づく電圧値（＋Ｖ）、正側第２電位信号（Ｐ２）に基づく電圧値（＋Ｖ）、及び正側第３電位信号（Ｐ３）に基づく電圧値（＋Ｖ）は＋１５Ｖであり、負側第１電位信号（Ｎ１）に基づく電圧値（−Ｖ）、負側第２電位信号（Ｎ２）に基づく電圧値（−Ｖ）、及び負側第３電位信号（Ｎ３）に基づく電圧値（−Ｖ）は、−１５Ｖである。また、第１時間長Ｔ１は０．５秒であり、第２時間長Ｔ２は、０．４秒である。
【００９５】
本実施例では、温度検出部２４が検出した温度が２０℃の場合の表示書き換えにおいては、書き換え時間は、０．５秒であり、白表示の反射率が４０％であり、白表示に関して好適な反射率が得られた。また、温度検出部２４が検出した温度が−２０℃の場合の表示書き換えにおいても、白表示と黒表示の２段階の書き換えで書き換え時間が０．８秒であり、白表示の反射率が４０％であり、書き換え時間が長くなることなく白表示に関して好適な反射率が得られた。
【００９６】
比較例として、温度検出部２４が検出した温度が−２０℃の場合の表示書き換えにおいてセグメント電極１６１に印加される電圧を＋１５Ｖまたは−１５Ｖとして、共通電極１１１に印加される電圧を０Ｖとし、それぞれの電圧の印加時間を２秒として表示書き換えを行った。この場合は、書き換え時間は、２秒であり、白表示の反射率が３５％であった。本発明による実施例の方が、低温領域において良好な表示態様が得られたことが確認できた。
【符号の説明】
【００９７】
１１  基板
１３  表示媒体
１５  表示媒体層
１５ａ〜１５ｈ  表示用領域
１６  基板
２０  信号ドライバ
２１  信号生成部
２２  制御部
２４  温度検出部
１１１  電極
１６１，１６１ａ〜１６１ｈ  電極
Ｃ  基準電位信号
Ｐ１  正側第１電位信号
Ｐ２  正側第２電位信号
Ｐ３  正側第３電位信号
Ｎ１  負側第１電位信号
Ｎ２  負側第２電位信号
Ｎ３  負側第３電位信号
Ｔ１  第１時間長
Ｔ２  第２時間長
Ｔ３  第３時間長
Ｔ４  第４時間長
【図１】
0006519993.tif 000002
【図２】
0006519993.tif 000003
【図３】
0006519993.tif 000004
【図４】
0006519993.tif 000005
【図５】
0006519993.tif 000006
【図６】
0006519993.tif 000007
【図７】
0006519993.tif 000008